(57)【要約】【課題】複数のアンテナから伝送される受信信号が妨害信号により性能劣化することがなく、かつ総ケーブル長を短縮することのできる受信装置を提供すること。【解決手段】複数のアンテナブロック１１０ａ、１１０ｂにおいて、各選局部１０２ａ、１０２ｂは共通の選局チャンネル信号を互いに異なる中間周波数帯域ＩＦａ、ＩＦｂに変換し、混合器１１１ｂは各選局チャンネル信号を混合する。混合された選局チャンネル信号は、１本のケーブル１０３を介して復調再生部１０９へ伝送される。復調再生部１０９では、伝送された選局チャンネル信号を分波器１１２にて分波し、複数の復調部１０４ａ、１０４ｂは各中間周波数帯域に変換された選局チャンネル信号を復調し、各復調信号は合成部１０５にて合成される。【選択図】図１
2012129604.tif 000002
【特許請求の範囲】
【請求項１】
Ｎ個（Ｎは複数）のアンテナブロックで受信した信号をケーブルで伝送し復調再生部で再生する受信装置において、
前記各アンテナブロックは、複数のチャンネル信号を受信するアンテナと、該複数のチャンネル信号から共通のチャンネル信号を選局しこれを互いに異なる中間周波数帯域に変換する各々の選局部を有するとともに、前記アンテナブロックの少なくとも１つは、前記各選局部から出力されるＮ個の選局チャンネル信号を混合する混合器を有し、
前記ケーブルは、前記混合器で混合された選局チャンネル信号を前記復調再生部へ伝送し、
前記復調再生部は、前記混合された選局チャンネル信号をＮ個に分波する分波器と、該分波された選局チャンネル信号から前記各中間周波数帯域に変換された選局チャンネル信号を復調するＮ個の復調部と、該Ｎ個の復調部からの復調信号を合成する合成部とを有することを特徴とする受信装置。
【請求項２】
請求項１に記載の受信装置において、
前記復調再生部における前記復調部の少なくとも１つは、選局すべきチャンネルを示す制御信号に変調を施し変調制御信号として前記ケーブルに伝送する制御信号変調部を有し、
前記各アンテナブロックにおける前記各選局部は、前記ケーブルを介して前記制御信号変調部から伝送される前記変調制御信号を復調する制御信号復調部と、該制御信号に従い互いに異なる局部発振信号を用いることで前記アンテナにて受信した複数のチャンネル信号から共通のチャンネル信号を互いに異なる中間周波数帯域に変換する周波数変換部とを有することを特徴とする受信装置。
【請求項３】
請求項１または２に記載の受信装置において、
前記制御信号変調部から伝送される前記変調制御信号の周波数帯域は、前記各選局部にて前記選局チャンネル信号を変換する前記中間周波数帯域と異なることを特徴とする受信装置。
【請求項４】
請求項１または２に記載の受信装置において、
前記ケーブルのうち、前記アンテナブロックと前記復調再生部とを接続するケーブルの長さは、前記アンテナブロック同士を接続する各ケーブルの長さよりも長いことを特徴とする受信装置。
【発明の詳細な説明】
【技術分野】
【０００１】
本発明は、放送・通信信号をアンテナで受信して復調再生する受信装置に係わり、特にアンテナと復調再生部の設置場所が異なり、両者をケーブルで接続する構成の受信装置に関するものである。
【背景技術】
【０００２】
日本の地上デジタルテレビジョン放送（ＩＳＤＢ−Ｔ放送）は、変調方式にＯＦＤＭ（Orthogonal frequency division multiplexing）方式を用いているため、マルチパスに強く、また、時間インターリーブを施すことができるため、比較的移動体受信に強いという特徴を有している。さらに、携帯階層や移動階層を用いることにより、変調方式や誤り訂正符号化率についても、伝送歪みに対して強いパラメータを選択することが可能となる。このため、ＩＳＤＢ−Ｔ放送の移動体受信が期待されており、車載用移動体受信機への適用が進められている。
【０００３】
従来、アンテナブロックを選局部から離れて車両に取り付けた場合には、車両から発生する様々な妨害信号が途中のケーブルから混入してしまい、当該妨害信号の周波数帯域で伝送された受信信号部分の性能を劣化させるという問題があった。この問題を解決するため例えば特許文献１では、選局部をアンテナ側に設け、受信した放送・通信信号を妨害信号の周波数帯域とは異なる中間周波数帯域に変換して伝送する構成としている。これにより、アンテナと復調再生部間の途中のケーブルから混入する妨害信号による受信信号への影響を排除し、受信信号の性能劣化を防止している。
【先行技術文献】
【特許文献】
【０００４】
【特許文献１】特開２００８−１６０５４４号公報
【発明の概要】
【発明が解決しようとする課題】
【０００５】
しかしながら、上述した従来技術では、アンテナと復調再生部（以下、単に復調部とも呼ぶ）を接続するケーブルの長さはアンテナ数に比例して増加する。移動体受信を行う受信機においては、受信性能向上のため複数のアンテナを備えたダイバーシティ受信方式が用いられる。代表的な移動体受信機である車載受信機の場合、アンテナと復調部間を接続するケーブルは数メートルの長さに及ぶ。アンテナ数増加に伴い総ケーブル長が長くなり、ケーブルコストの増大や、車両の限られた空間に多くのケーブルを実装しなければならないという問題がある。
【０００６】
本発明は、上述した問題点に鑑み、複数のアンテナから伝送される受信信号が妨害信号により性能劣化することがなく、かつ総ケーブル長を短縮することのできる受信装置を提供することを目的とする。
【課題を解決するための手段】
【０００７】
本発明は、Ｎ個（Ｎは複数）のアンテナブロックで受信した信号をケーブルで伝送し復調再生部で再生する受信装置であって、各アンテナブロックは、複数のチャンネル信号を受信するアンテナと、複数のチャンネル信号から共通のチャンネル信号を選局しこれを互いに異なる中間周波数帯域に変換する各々の選局部を有するとともに、アンテナブロックの少なくとも１つは、各選局部から出力されるＮ個の選局チャンネル信号を混合する混合器を有し、ケーブルは、混合器で混合された選局チャンネル信号を復調再生部へ伝送し、復調再生部は、混合された選局チャンネル信号をＮ個に分波する分波器と、分波された選局チャンネル信号から各中間周波数帯域に変換された選局チャンネル信号を復調するＮ個の復調部と、Ｎ個の復調部からの復調信号を合成する合成部とを有する。
【発明の効果】
【０００８】
本発明によれば、複数のアンテナからの信号を異なる中間周波数帯域に変換し、１本のケーブルで伝送することで、ケーブルから混入する妨害信号の影響を排除するとともに、総ケーブル長を短縮する。よってケーブルに必要なコストを下げ、車両等におけるケーブルの実装を容易にすることができる。
【図面の簡単な説明】
【０００９】
【図１】本発明の第１の実施例になる受信装置の構成を示すブロック図である。
【図２】図１の各選局部１０２ａ、１０２ｂの内部構成を示すブロック図である。
【図３】図１の各復調部１０４ａ、１０４ｂの内部構成を示すブロック図である。
【図４】図１の混合器１１１ｂと分波器１１２の構成の一例を示す図である。
【図５】図１の受信装置で扱う信号の周波数スペクトルを示す図である。
【図６】本発明の第２の実施例になる受信装置の構成を示すブロック図である。
【図７】図６の受信装置で扱う信号の周波数スペクトルを示す図である。
【発明を実施するための形態】
【００１０】
以下、本発明の実施の形態について、移動受信する車載受信機を一例として説明する。
【実施例１】
【００１１】
図１は、本発明の第１の実施例になる受信装置の構成を示すブロック図であり、特に、ＩＳＤＢ−Ｔ放送を２系統のアンテナにより移動受信するダイバーシティ受信装置の場合を示す。
【００１２】
受信装置は、２つのアンテナブロック１１０ａ、１１０ｂと復調再生部１０９を備えている。アンテナブロック１１０ａはアンテナ１０１ａと選局部１０２ａで構成され、ケーブル１０３ａを介してアンテナブロック１１０ｂに接続されている。アンテナブロック１１０ｂはアンテナ１０１ｂと選局部１０２ｂおよび混合器１１１ｂで構成され、ケーブル１０３を介して復調再生部１０９に接続されている。
【００１３】
アンテナブロック１１０ａにおいて、選局部１０２ａは、アンテナ１０１ａで受信した受信信号から必要な選局チャンネル帯域を抽出し、中間周波数帯域ＩＦａに変換する。中間周波数帯域ＩＦａに変換された選局チャンネル信号は、ケーブル１０３ａを介してアンテナブロック１１０ｂの混合器１１１ｂに入力される。一方、アンテナブロック１１０ｂにおいて、選局部１０２ｂは、アンテナ１０１ｂで受信した受信信号から前記選局部１０２ａで抽出した選局チャンネル帯域と共通の選局チャンネル帯域を抽出し、中間周波数帯域ＩＦｂに変換する。ここで、中間周波数帯域ＩＦｂは中間周波数帯域ＩＦａと異なる周波数帯域である。中間周波数帯域ＩＦｂに変換された選局チャンネル信号は、配線１３０ｂを介して混合器１１１ｂに入力される。混合器１１１ｂは、ケーブル１０３ａを介して入力された選局部１０２ａからの選局チャンネル信号と、配線１３０ｂを介して入力された選局部１０２ｂからの選局チャンネル信号を混合する。混合された選局チャンネル信号は、１本のケーブル１０３を介して復調再生部１０９に伝送される。
【００１４】
復調再生部１０９は、分波器１１２、復調部１０４ａ、１０４ｂ、合成部１０５、復号部１０６により構成される。ケーブル１０３を介して復調再生部１０９に伝送された混合選局チャンネル信号は、分波器１１２において、２系統の選局チャンネル信号に分波される。分波されたそれぞれの選局チャンネル信号は、配線１４０ａと１４０ｂを介して復調部１０４ａ、１０４ｂに入力されそれぞれ復調される。合成部１０５では、復調部１０４ａ、１０４ｂからの２つの出力信号からダイバーシティ合成処理を行い、Ｃ／Ｎ改善された信号を出力する。ダイバーシティ合成処理では、Ｃ／Ｎの良好な信号を選択することや、２系統の出力信号を最大比合成することなどを行う。合成された信号は復号部１０６で復号され、端子１０７から再生信号として出力される。
【００１５】
一方復調再生部１０９の端子１０８には、選局チャンネル帯域を選択する選局信号が入力する。復調部１０４ａ、１０４ｂ（またはいずれか一方）では選局用の制御信号を生成して、ケーブル１０３を介してアンテナブロック１１０ａ、１１０ｂへ伝送する。アンテナブロック内の各選局部１０２ａ、１０２ｂは、この制御信号を受けて受信信号から選局チャンネル帯域を抽出し、また中間周波数帯域ＩＦａ、ＩＦｂへの変換処理を行う。また復調部１０４ａ、１０４ｂ（またはいずれか一方）はアンテナブロック１１０ａ、１１０ｂに対して、ＤＣ電源を供給する。
【００１６】
このように本実施例の受信装置は、２系統のアンテナブロック１１０ａ、１１０ｂで共通の選局チャンネル信号を互いに異なる中間周波数帯域ＩＦａ、ＩＦｂに変換し、ケーブル１０３を介して、当該アンテナブロック１１０ａ、１１０ｂから離れた場所に設置した復調再生部１０９へ伝送し、復調再生部１０９にて再生信号を得る構成としている。このような受信装置を車両に搭載する場合、例えば、２系統のアンテナブロック１１０ａ、１１０ｂを車両のリヤ（後方）部ガラス面の左右位置に設置し、復調再生部１０９を運転席近傍のカーステレオ部分に設置するのが一般的である。そして、復調再生部１０９とアンテナブロック１１０ｂ間をケーブル１０３で、アンテナブロック１１０ｂと１１０ａ間をケーブル１０３ａで接続する形態となる。このような接続形態の場合、復調再生部１０９（運転席近傍）とアンテナブロック１１０ａ、１１０ｂ（車両後方）の間の距離は、２つのアンテナブロック１１０ａと１１０ｂ間の距離（リヤ部の左右幅）よりも大きくなるので、ケーブル１０３の長さはケーブル１０３ａよりも長くなる。従って、アンテナブロック１１０ａ、１１０ｂから復調再生部１０９までを１本のケーブル１０３で接続する本実施例の構成は、アンテナブロック１１０ａ、１１０ｂから復調再生部１０９までをそれぞれ別の２本のケーブルで接続する構成と比較して、ケーブル１０３ａと１３０を合わせた総ケーブル長を短くすることができる。具体的には、総ケーブル長をケーブル１０３と１０３ａの差分だけ短縮することができる。このように総ケーブル長が短くなることにより、ケーブルのコストが低減するとともに、車両内のケーブル実装（引き回し）が容易になるという効果が得られる。
【００１７】
続いて、図１に示した受信装置の各部の構成と動作を詳細に説明する。
図２は、図１の各選局部１０２ａ、１０２ｂの内部構成を示すブロック図である。各選局部１０２ａ、１０２ｂの構成は共通であり、以下選局部１０２として示す。選局部１０２は、周波数変換部２０３、帯域通過フィルタ（ＢＰＦ）２０４、局部発振部２０５、基準信号発生部２０６、制御信号抽出部２０７、制御信号復調部２０８、ＤＣ電源抽出部（ＤＣ抽出部）２０９を備える。端子２０１はアンテナ１０１ａ、１０１ｂと接続され受信信号が入力し、端子２０２はケーブル１０３ａまたは配線１３０ｂと接続される。
【００１８】
まず、選局部１０２ａの動作から説明する。選局部１０２ａの端子２０２にはケーブル１０３ａが接続されており、ＤＣ抽出部２０９によりケーブル１０３ａ上の信号からＤＣ成分を抽出し、アンテナブロック１１０ａへの電源供給に使用する。また制御信号抽出部２０７は、ケーブル１０３ａ上の信号から変調制御信号を抽出し、制御信号復調部２０８で復調して当該復調制御信号を局部発振部２０５に出力する。局部発振部２０５は復調制御信号を受け、希望する選局チャンネル信号を選択するための周波数Ｌｏａの局部発振信号を周波数変換部２０３に出力する。周波数変換部２０３では、局部発振信号Ｌｏａを使用して希望する選局チャンネル信号を得、ＢＰＦ２０４で中間周波数帯域ＩＦａに帯域制限を行って、中間周波数帯域ＩＦａに変換された選局チャンネル信号をケーブル１０３ａに出力する。
【００１９】
一方、選局部１０２ｂでも同様の動作を行う。選局部１０２ｂの端子２０２には配線１３０ｂが接続されており、ＤＣ抽出部２０９によりＤＣ成分を抽出し、アンテナブロック１１０ｂへの電源供給に使用する。また制御信号抽出部２０７は変調制御信号を抽出し、制御信号復調部２０８で復調して当該復調制御信号を局部発振部２０５に出力する。局部発振部２０５はこの復調制御信号を受け、希望する選局チャンネル信号を選択するための周波数Ｌｏｂの局部発振信号Ｌｏｂを周波数変換部２０３に出力する。周波数変換部２０３では、局部発振信号Ｌｏｂを使用して希望する選局チャンネル信号を得、ＢＰＦ２０４で中間周波数帯域ＩＦｂに帯域制限を行って、中間周波数帯域ＩＦｂに変換された選局チャンネル信号を配線１３０ｂに出力する。
【００２０】
このように２つの選局部１０２ａ、１０２ｂは、復調部１０４ａ（または１０４ｂ）から送られる共通の制御信号に従って選局動作を行う訳であるが、この制御信号には２つの選局部１０２ａ、１０２ｂを識別するためのアドレスコードが付与されている。これにより各選局部１０２ａ、１０２ｂでは互いに異なる局部発振信号Ｌｏａ、Ｌｏｂを用いることで、異なる中間周波数帯域ＩＦａ、ＩＦｂの選局チャンネル信号に変換することができる。
【００２１】
選局部１０２ａからの選局チャンネル信号と選局部１０２ｂからの選局チャンネル信号は、混合器１１１ｂにて混合され、ケーブル１０３を介して復調再生部１０９に伝送される。復調再生部１０９では、分波器１１２は混合された選局チャンネル信号を分波し、それぞれ配線１４０ａおよび１４０ｂを介して各復調部１０４ａ、１０４ｂに供給する。
【００２２】
図３は、図１の各復調部１０４ａ、１０４ｂの内部構成を示すブロック図である。各復調部１０４ａ、１０４ｂの構成は共通であり、以下復調部１０４として示す。復調部１０４は、帯域通過フィルタ（ＢＰＦ）３０４、復調器３０５、ＤＣ電源供給部（ＤＣ供給部）３０６、制御信号変調部３０７を備えている。端子３０１は分波器１１２と接続され、端子３０２は合成部１０５と接続される。端子３０３は端子１０８と接続され、チャンネル選択の制御信号が入力する。なお、ＤＣ供給部３０６と制御信号変調部３０７は、復調部１０４ａ、１０４ｂの両方で備える必要はなく、いずれか一方が備える構成としてもよい。
【００２３】
復調部１０４の動作を説明する。端子３０１には、分波器１１２で分波された選局チャンネル信号の一方が入力する。ＢＰＦ３０４は選局チャンネル信号を中間周波数帯域に帯域制限する。このとき、ＢＰＦ３０４の通過帯域特性は復調部１０４ａと１０４ｂとで異なるようにして、異なる中間周波数帯域ＩＦａ、ＩＦｂの選局チャンネル信号を出力する。復調器３０５では選局チャンネル信号を復調し、端子３０２から合成部１０５へ出力する。
【００２４】
一方ＤＣ供給部３０６からのＤＣ電圧は、端子３０１を介して配線１４０ａまたは１４０ｂに重畳される。また、希望するチャンネルを選択するための選局信号が端子１０８に入力されると、それに対応した制御信号が、端子３０３を介して制御信号変調部３０７に入力される。制御信号変調部３０７は制御信号に対し変調を施し、ＤＣや中間周波数帯域とは異なる帯域の変調制御信号を生成する。換言すれば、この変調制御信号にはＤＣや中間周波数に影響を与えないように帯域制限が行なわれている。変調制御信号は分波器１１２、ケーブル１０３、混合器１１１ｂ、配線１３０ｂを介して選局部１０２ｂに、またケーブル１０３ａを介して選局部１０２ａに伝送される。なお、制御信号変調部３０７が両方の復調部１０４ａ、１０４ｂに備えられている場合、制御信号は同一の周波数帯域を用いることになる。その場合には各復調部１０４ａ、１０４ｂにおいて、変調制御信号の帯域の信号状態を調べて自らが制御信号を出力しても良いかどうかを判定することで、互いの制御信号が干渉することはない。
【００２５】
図４は、図１の混合器１１１ｂと分波器１１２の構成の一例を示す図である。混合器１１１ｂと分波器１１２は同様の構成で実現でき、内部に抵抗素子４１１と高周波線路４１２、４１３を備える。
【００２６】
混合器１１１ｂの場合は、端子４０１はケーブル１０３ａ（選局部１０２ａ側）に、端子４０２は配線１３０ｂ（選局部１０２ｂ側）に、端子４０３はケーブル１０３に接続される。混合器の入出力端子のインピーダンスが例えば５０Ωの場合は、抵抗素子４１１は入出力インピーダンスの２倍の１００Ωとし、高周波線路４１２、４１３の特性インピーダンスを√２倍の約７０．７Ωの１／４波長伝送線路とすれば、ウィルキンソン型の混合器（または分波器）として動作する。これより、端子４０１および４０２から入力された信号は混合され端子４０３から出力される。すなわち、選局部１０２ａからの選局チャンネル信号と選局部１０２ｂからの選局チャンネル信号を混合し、ケーブル１０３に出力することができる。
【００２７】
一方、分波器１１２の場合は、入出力の構成を逆転させた構成とする。すなわち、端子４０３をケーブル１０３に、端子４０１を配線１４０ａ（復調部１０４ａ側）に、端子４０２を配線１４０ｂ（復調部１０４ｂ側）に接続する。これより、端子４０３から入力された信号は電力が２分配され、端子４０１および４０２から出力される。すなわち、ケーブル１３０から入力された信号は分配され、復調部１０４ａおよび復調部１０４ｂに出力することができる。
【００２８】
以上説明した分波器は、入力された信号を複数の同一信号に分配するものであるが、複数の端子で異なる帯域に分割する分波器を用いても良い。この場合、４１２を中間周波数帯域ＩＦａが通過帯域であるバンドパスフィルタ、４１３を中間周波数帯域ＩＦｂが通過帯域であるバンドパスフィルタで構成することにより、端子４０１には中間周波数帯域ＩＦａの選局チャンネル信号が、端子４０２には中間周波数帯域ＩＦｂの選局チャンネル信号が出力される。
【００２９】
図５は、本実施例の受信装置で扱う信号の周波数スペクトルを示す図である。符号５０１はＤＣ供給部３０６からのＤＣ電源を、符号５０２は制御信号変調部３０７から出力される変調制御信号を、符号５０３ａおよび５０３ｂはそれぞれ選局部１０２ａおよび１０２ｂが中間周波数帯域ＩＦａ、ＩＦｂに変換した選局チャンネル信号を、そして符号５０４ａ、５０４ｂ、５０４ｃはアンテナで受信可能な複数のチャンネル信号を示している。ここで、ＤＣ５０１、変調制御信号５０２、選局チャンネル信号（中間周波数帯域）５０３ａ、５０３ｂ、複数のチャンネル信号５０４ａ、５０４ｂ、５０４ｃは、互いに重ならないように異なる周波数帯域に設定されている。
【００３０】
図５の例では、受信可能なチャンネル信号は簡単のため５０４ａ、５０４ｂ、５０４ｃの３つとしたが、一般には数十のチャンネル信号が受信可能であり、特にＩＳＤＢ−Ｔ放送の場合は、ＵＨＦ１３ＣＨからＵＨＦ６２ＣＨまで、帯域にして４７０ＭＨｚから７７０ＭＨｚまでの広い帯域に亘っている。また、車載受信装置では、車内には電波の発生源が多数存在しており、特にＵＨＦという広い帯域の受信信号に対して、妨害電波となる可能性が高い。すなわち、ＵＨＦ帯域のままケーブル１０３ａおよび１０３を伝送した場合には、ケーブル１０３、１０３への妨害電波の混入により、当該妨害電波と周波数が重なったチャンネル信号の品質が影響を受け、復調再生部１０９から出力される再生信号の品質が劣化する恐れがあった。
【００３１】
そこで本実施例では、上記図１のように、選局部１０２を復調再生部１０９ではなくアンテナブロック１１０内に配置し、受信した複数のチャンネル信号から１つのチャンネル信号を選局し中間周波数帯域に変換する。例えば、希望する選局チャンネル信号がチャンネル信号５０４ａ、５０４ｂ、５０４ｃのうちの５０４ｂであった場合には、選局部１０２ａではチャンネル信号５０４ｂの周波数を変換して中間周波数帯域ＩＦａの選局チャンネル信号５０３ａとする。また選局部１０２ｂでは、チャンネル信号５０４ｂの周波数を変換して中間周波数帯域ＩＦｂの選局チャンネル信号５０３ｂとする。そして、選局チャンネル信号５０３ａと選局チャンネル信号５０３ｂは混合され、ケーブル１０３を介して復調再生部１０９へ伝送される。その際、選局チャンネル信号５０３ａ、５０３ｂは、妨害電波を受けにくい周波数帯域である中間周波数帯域ＩＦａ、ＩＦｂに変換されているので、ケーブル１０３を伝送中に妨害電波の混入がなく、再生信号の品質の劣化を防止できる。
【００３２】
選局チャンネル信号５０３ａおよび５０３ｂに変換する中間周波数帯域ＩＦａ、ＩＦｂは、受信するチャンネル信号５０４ａ、５０４ｂ、５０４ｃよりも低い周波数（例えば４０〜６０ＭＨｚ）が好ましいが、これに限定されることなく、妨害電波を受けにくい周波数帯域であればチャンネル信号５０４ａ、５０４ｂ、５０４ｃよりも高い周波数に変換しても良い。また変調制御信号５０２についても、妨害電波を受けにくく、かつ中間周波数帯域ＩＦａ、ＩＦｂよりも低い周波数としたが、逆に中間周波数帯域ＩＦａ、ＩＦｂよりも高い周波数としてもよい。
【実施例２】
【００３３】
実施例１では、２系統のアンテナを備えたダイバーシティ受信装置の場合を述べたが、本発明はこれに限定されることなく、３系統以上のアンテナを備える構成にも適用できる。
図６は、本発明の第２の実施例になる受信装置の構成を示すブロック図であり、特に、ＩＳＤＢ−Ｔ放送を３系統のアンテナにより移動受信するダイバーシティ受信装置の場合を示す。
【００３４】
本実施例の受信装置では、実施例１（図１）の構成に対し、新たに３系統目のアンテナブロック１１０ｃを追加している。図１と同じ機能の要素には同一符号を付している。追加するアンテナブロック１１０ｃは、アンテナ１０１ｃと選局部１０２ｃおよび混合器１１１ｃで構成され、アンテナブロック１１０ｂとケーブル１０３の間に挿入している。アンテナブロック１１０ｃとアンテナブロック１１０ｂとは、ケーブル１０３ｂで接続している。また復調再生部１０９では、実施例１（図１）の構成に対し、新たに３系統目の復調部１０４ｃを追加している。追加する復調部１０４ｃは、分波器１１２と合成部１０５の間に配線１４０ｃにて接続する。
【００３５】
本実施例の受信装置の動作を説明する。アンテナブロック１１０ａにおいて、選局部１０２ａはアンテナ１０１ａで受信した受信信号から必要な選局チャンネル帯域を抽出し、これを中間周波数帯域ＩＦａに変換した選局チャンネル信号として、ケーブル１０３ａを介して混合器１１１ｂに出力する。同様にアンテナブロック１１０ｂでは、選局部１０２ｂにて前記選局部１０２ａで抽出した選局チャンネル帯域と共通の選局チャンネル帯域を抽出し、これを異なる中間周波数帯域ＩＦｂに変換した選局チャンネル信号として、配線１３０ｂを介して混合器１１１ｂに出力する。混合器１１１ｂは、上記２つの選局部１０２ａ、１０２ｂからの周波数の異なる２つの選局チャンネル信号を混合し、混合選局チャンネル信号としてケーブル１０３ｂを介してアンテナブロック１１０ｃ内の混合器１１１ｃに出力する。またアンテナブロック１１０ｃでは、選局部１０２ｃにて前記選局部１０２ａ、１０２ｂで抽出した選局チャンネル帯域と共通の選局チャンネル帯域を抽出し、これを前記中間周波数帯域ＩＦａ、ＩＦｂとは異なる中間周波数帯域ＩＦｃに変換した選局チャンネル信号として、配線１３０ｃを介して混合器１１１ｃに出力する。混合器１１１ｃは、ケーブル１０３ｂを介して入力した選局部１０２ａ、１０２ｂからの混合選局チャンネル信号と、配線１３０ｃを介して入力した選局部１０２ｃから選局チャンネル信号を混合し、３波混合選局チャンネル信号としてケーブル１０３を介して復調再生部１０９に伝送する。
【００３６】
復調再生部１０９では、ケーブル１０３を介して伝送された３波混合選局チャンネル信号は、分波器１１２において３系統の混合選局チャンネル信号に分波され、それぞれ配線１４０ａ、１４０ｂ、１４０ｃを介して復調部１０４ａ、１０４ｂ、１０４ｃに送られる。各復調部１０４ａ、１０４ｂ、１０４ｃでは、それぞれが有するＢＰＦ３０４によりそれぞれ異なる中間周波数帯域ＩＦａ、ＩＦｂ、ＩＦｃの選局チャンネル信号を抽出し、これらの選局チャンネル信号を復調器３０５で復調する。合成部１０５では、各復調部１０４ａ、１０４ｂ、１０４ｃからの３系統の出力信号からダイバーシティ合成処理を行い、Ｃ／Ｎ改善された信号を出力する。合成された信号は、復号部１０６で復号され、端子１０７から再生信号として出力される。
【００３７】
図７は、本実施例の受信装置で扱う信号の周波数スペクトルを示す図である。実施例１（図５）と同一信号には同一符号を付す。符号５０３ｃは選局部１０２ｃが中間周波数帯域ＩＦｃに変換した選局チャンネル信号である。選局チャンネル信号５０３ｃは、選局部１０２ａと１０２ｂにて変換された選局チャンネル信号５０３ａ、５０３ｂの中間周波数帯域ＩＦａ、ＩＦｂとは異なる周波数帯域ＩＦｃに設定している。
【００３８】
本実施例においても、選局チャンネル信号を妨害電波を受けにくい中間周波数帯域ＩＦａ、ＩＦｂ、ＩＦｃに変換することにより、ケーブル１０３ａ、１０３ｂ、１０３を伝送中に妨害電波の混入がなく、再生信号の品質の劣化を防止できる。
【００３９】
さらに本実施例では、３系統の選局チャンネル信号５０３ａ、５０３ｂ、５０３ｃを１本のケーブル１０３で復調再生部１０９へ伝送する。そして、ケーブル１０３の長さは、アンテナブロック１１０ａ、１１０ｂ、１１０ｃ同士を接続する各ケーブル１０３ａ、１０３ｂの長さよりも長いので、アンテナブロック１１０ａ、１１０ｂ、１１０ｃから復調再生部１０９までをそれぞれ別の３本のケーブルで接続する構成と比較して、総ケーブル長を短くすることができる。その結果、必要とするケーブルの長さを大幅に短縮してコスト低減できるとともに、車両内のケーブルの引き回しが容易になる。
【００４０】
上記例では３系統のアンテナを備える場合を説明したが、３系統以上のアンテナを備える場合にも同様に拡張できる。アンテナ数を増加することでダイバーシティ受信効果を向上させることができるとともに、本実施例の構成を適用することで、総ケーブル長の増加を最小限に抑えることが可能となる。
【符号の説明】
【００４１】
１０１ａ，１０１ｂ，１０１ｃ…アンテナ、
１０２ａ，１０２ｂ，１０２ｃ，１０２…選局部、
１０３ａ，１０３ｂ，１０３…ケーブル、
１０４ａ，１０４ｂ，１０４ｃ，１０４…復調部、
１０５…合成部、
１０６…復号部、
１０７…再生信号出力端子、
１０８…選局信号入力端子、
１０９…復調再生部、
１１０ａ，１１０ｂ，１１０ｃ…アンテナブロック、
１１１ｂ，１１１ｃ…混合器、
１１２…分波器、
２０３…周波数変換部、
２０５…局部発振部、
２０７…制御信号抽出部、
２０８…制御信号復調部、
３０５…復調器、
３０７…制御信号変調部。
【図１】
2012129604.tif 000003
【図２】
2012129604.tif 000004
【図３】
2012129604.tif 000005
【図４】
2012129604.tif 000006
【図５】
2012129604.tif 000007
【図６】
2012129604.tif 000008
【図７】
2012129604.tif 000009